(57)【要約】【課題】揺動金具のアームを差し込んで迅速かつ簡単に固定部に取着するための揺動金具の取付ソケットを提供する。【解決手段】家具固定部に固着されると共に、家具揺動部に取付けられた角度調整機能付の揺動金具の帯板状アーム部を差し込んで保持するための取付ソケットであって、アーム部を差し込むための差込空間部２５を形成する外嵌ホルダ部材２と、外嵌ホルダ部材２の内面に設けられた弾性圧接部材３とを、備え、アーム部を差し込んだ状態で、弾性圧接部材３がアーム部を厚み方向及び幅方向から弾発的に圧接保持して、差込空間部２５内に差し込まれたアーム部のガタつきを防止するように構成されている。【選択図】図１
2014004049.tif 000002
【特許請求の範囲】
【請求項１】
家具固定部（５０）に固着されると共に、家具揺動部（４９）に取付けられた角度調整機能付の揺動金具（１０）の帯板状アーム部（１）を差し込んで保持するための取付ソケットであって、
上記アーム部（１）を差し込むための差込空間部（２５）を形成する外嵌ホルダ部材（２）と、該外嵌ホルダ部材（２）の内面に設けられた弾性圧接部材（３）とを、備え、
上記アーム部（１）を差し込んだ状態で、上記弾性圧接部材（３）が上記アーム部（１）を厚み方向及び幅方向から弾発的に圧接保持して、上記差込空間部（２５）内に差し込まれた上記アーム部（１）のガタつきを防止するように構成されたことを特徴とする揺動金具の取付ソケット。
【請求項２】
上記外嵌ホルダ部材（２）は、板金製であって、背面壁（２０）と、左右側面壁（２１）（２１）と、該側面壁（２１）（２１）の前端を内向きに折曲状とした前面壁（２２）（２２）とを、有している請求項１記載の揺動金具の取付ソケット。
【請求項３】
上記外嵌ホルダ部材（２）は、上記差込空間部（２５）に差し込まれた状態の上記アーム部（１）の背面に当接するための低突隆部（２３）を有している請求項１又は２記載の揺動金具の取付ソケット。
【請求項４】
上記弾性圧接部材（３）は、上記外嵌ホルダ部材（２）の上端近傍と下端近傍に取付けられる２個の樹脂製可撓片（３Ａ）（３Ｂ）から成る請求項１，２又は３記載の揺動金具の取付ソケット。
【請求項５】
上記弾性圧接部材（３）は、上記アーム部（１）が上記外嵌ホルダ部材（２）に差し込まれる際、該アーム部（１）に摺接して弾性変形しつつ該アーム部（１）に設けられた係止用雌部（１５）に係止する抜止め突部（１３）を有している請求項１，２，３又は４記載の揺動金具の取付ソケット。
【請求項６】
上記外嵌ホルダ部材（２）は、板金製であって、上記家具固定部（５０）に対する位置決めのための凸部（２７）（２７）が、プレス加工によって形成されている請求項１，２，３，４又は５記載の揺動金具の取付ソケット。
【発明の詳細な説明】
【技術分野】
【０００１】
本発明は、揺動金具の取付ソケットに関する。
【背景技術】
【０００２】
本出願人は、ヘッドレスト、肘掛け、フットレスト等が設けられたソファーや椅子等の家具に用いる角度調整機能付の揺動金具を提案してきた（特許文献１参照）。
【先行技術文献】
【特許文献】
【０００３】
【特許文献１】特許第４２９６２２３号公報
【発明の概要】
【発明が解決しようとする課題】
【０００４】
特許文献１記載の揺動金具は、その一方のアームを家具のヘッドレスト等の揺動部に取付け、他方のアームを座部等の固定部に取り付けることで、揺動部を固定部に角度調整可能として取着するように使用されていた。
従来、家具の固定部に揺動金具のアームを取付ける際、アームを貫通する係止用孔部にボルトやネジを通し、アームを直接に家具固定部に固着していた。
【０００５】
本発明は、揺動金具のアームを差し込んで迅速かつ簡単に固定部に取着するための揺動金具の取付ソケットを提供することを目的とする。
【課題を解決するための手段】
【０００６】
本発明に係る揺動金具の取付ソケットは、家具固定部に固着されると共に、家具揺動部に取付けられた角度調整機能付の揺動金具の帯板状アーム部を差し込んで保持するための取付ソケットであって、上記アーム部を差し込むための差込空間部を形成する外嵌ホルダ部材と、該外嵌ホルダ部材の内面に設けられた弾性圧接部材とを、備え、上記アーム部を差し込んだ状態で、上記弾性圧接部材が上記アーム部を厚み方向及び幅方向から弾発的に圧接保持して、上記差込空間部内に差し込まれた上記アーム部のガタつきを防止するように構成されたものである。
【０００７】
また、上記外嵌ホルダ部材は、板金製であって、背面壁と、左右側面壁と、該側面壁の前端を内向きに折曲状とした前面壁とを、有しているものである。
また、上記外嵌ホルダ部材は、上記差込空間部に差し込まれた状態の上記アーム部の背面に当接するための低突隆部を有しているものである。
【０００８】
また、上記弾性圧接部材は、上記外嵌ホルダ部材の上端近傍と下端近傍に取付けられる２個の樹脂製可撓片から成るものである。
また、上記弾性圧接部材は、上記アーム部が上記外嵌ホルダ部材に差し込まれる際、該アーム部に摺接して弾性変形しつつ該アーム部に設けられた係止用雌部に係止する抜止め突部を有しているものである。
また、上記外嵌ホルダ部材は、板金製であって、上記家具固定部に対する位置決めのための凸部が、プレス加工によって形成されているものである。
【発明の効果】
【０００９】
本発明の揺動金具の取付ソケットによれば、家具固定部に家具揺動部を取り付ける際、揺動金具のアーム部を、容易かつ迅速に、差し込んで取着できる。差し込んだ状態のアーム部が傾いたりガタつくのを確実に防止できる。
【図面の簡単な説明】
【００１０】
【図１】本発明の実施の一形態を示した斜視図である。
【図２】取付ソケットの横断面図である。
【図３】弾性圧接部材を示した斜視図であり、（Ａ）は正面側から見た斜視図、（Ｂ）は背面側から見た斜視図である。
【図４】弾性圧接部材を示した斜視図であり、（Ａ）は正面側から見た斜視図、（Ｂ）は背面側から見た斜視図である。
【図５】アーム差込状態を示した斜視図であり、（Ａ）は全体の斜視図、（Ｂ）は一部破断して示した斜視図である。
【図６】アーム差込状態を示した断面正面図である。
【図７】アーム差込状態を示した断面底面図である。
【図８】本発明の他の実施形態を示した斜視図である。
【図９】アーム未差込状態を示した斜視図である。
【図１０】本発明に係る揺動金具の取付ソケットの使用箇所の一例を示した簡略斜視図である。
【図１１】図１０のソファーの表皮を図示省略して描いた簡略斜視図である。
【図１２】本発明の変形例を示した横断面図であり（Ａ）は第１変形例を示した横断面図、（Ｂ）は第２変形例を示した横断面図である。
【発明を実施するための形態】
【００１１】
以下、実施の形態を示す図面に基づき本発明を詳説する。
図１０と図１１に示すように、本発明の揺動金具の取付ソケットは、傾動可能な（リクライニングする）ヘッドレスト、肘掛け、フットレスト等の家具揺動部４９を備えたソファーＳや（図示省略の）椅子等の家具に用いられる。
本発明に係る揺動金具の取付ソケットは、ソファーＳの背部や座部等の家具固定部（静止部）５０に固着されると共に、家具揺動部４９に取付けられた角度調整機能付の揺動金具１０の帯板状アーム部１を差し込んで保持するように構成されている。なお、図１０、図１１に示すようなソファーＳに於ては、通常、複数個使用される。
【００１２】
図１と図２に示すように、本発明に係る揺動金具の取付ソケットは、揺動金具１０の帯板状アーム部１を差し込むための差込空間部２５を形成する外嵌ホルダ部材２と、外嵌ホルダ部材２の内面に設けられた弾性圧接部材３とを、備えている。
【００１３】
外嵌ホルダ部材２は、板金製であって、背面壁２０と、左右側面壁２１，２１と、側面壁２１，２１の前端を内向きに折曲状とした前面壁２２，２２とを、有している。
外嵌ホルダ部材２は、金属板をプレス加工によって折り曲げて形成されている。外嵌ホルダ部材２は、前面壁２２，２２が左右方向の中央位置で離間して開口部２４を形成している。外嵌ホルダ部材２は、背面側に固定部接触面部２８，２８を有している。各々の左右側面壁２１には、上端近傍と下端近傍の２箇所に孔部２９，２９が貫設されている。
【００１４】
外嵌ホルダ部材２は、差込空間部２５に差し込まれた状態のアーム部１の背面に当接するための低突隆部２３を有している。
低突隆部２３は、背面壁２０を内向きに隆起させて形成（プレス成形）され、平らな面でアーム部１の背面に当接している。背面壁２０には、家具固定部５０に打ち込んで固着するボルトやネジ等を通すための貫通孔２６，２６が（プレス打抜加工によって）形成されている。
外嵌ホルダ部材２は、プレス加工により折曲げられた金属板をもって全体として薄型に形成され、構造も簡素（シンプル）である。外嵌ホルダ部材２は、背面壁２０に低突隆部２３を有することで、強度と剛性を向上している。
【００１５】
弾性圧接部材３は、外嵌ホルダ部材２の上端近傍と下端近傍に取付けられる２個の樹脂製可撓片３Ａ，３Ｂから成る。
図２に示すように、弾性圧接部材３（樹脂製可撓片３Ａ，３Ｂ）は、外嵌ホルダ部材２の前面壁２２，２２と側面壁２１，２１の内面に密接して設けられている。弾性圧接部材３は、ポリアミド系樹脂等の樹脂材料から成り、外嵌ホルダ部材２の開口部２４から挿入され、外嵌ホルダ部材２に装着されている。外嵌ホルダ部材２の差込空間部２５に弾性圧接部材３が装着されることで、アーム部１の差し込まれる差込空間部２５の前後方向（厚み）寸法が、自由状態では、アーム部１の厚さ寸法Ｔよりも僅かに小さくなり、また、自由状態での差込空間部２５の幅寸法が、アーム部１の幅寸法Ｗより僅かに狭幅となる。
【００１６】
図３に示すように、２個の樹脂製可撓片３Ａ，３Ｂの内、一方の第１可撓片３Ａは、両端部に孔部２９，２９（図１，図２参照）に係止する小凸部３１，３１を有し側面壁２１，２１の内面に密接する一対の折曲片部３０，３０と、前面壁２２，２２の内面に密接する一対の内装片部３２，３２と、前面壁２２，２２間の開口部２４に橋絡する中央連結部３３とを、備えている。
図４に示すように、２個の樹脂製可撓片３Ａ，３Ｂの内、他方の第２可撓片３Ｂは、両端部に孔部２９，２９（図１，図２参照）に係止する小凸部３１，３１を有し側面壁２１，２１の内面に密接する一対の折曲片部３０，３０と、前面壁２２，２２の内面に密接する一対の内装片部３２，３２とを、備えている点で第１可撓片３Ａと共通している。第２可撓片３Ｂは、前面壁２２，２２間の開口部２４に橋絡する抜止め付中央連結基部３４を備え、この中央連結基部３４には、アーム部１に設けられた後述の係止用雌部１５に係止するための抜止め突部１３を有している。
【００１７】
図５〜図７に示すように、本発明の揺動金具の取付ソケットは、アーム部１を差し込んだ状態で、弾性圧接部材３がアーム部１を厚み方向及び幅方向から弾発的に圧接保持して、差込空間部２５内に差し込まれたアーム部１のガタつきを防止するように構成されている。
差込空間部２５内にアーム部１が差し込まれた状態では、弾性圧接部材３は、外嵌ホルダ部材２とアーム部１に挟圧状に圧縮されて弾性変形し、反発力をもってアーム部１の外面を押し返しつつ弾発的に当接して、アーム部１をガタつかせることなく保持している。つまり、アーム部１は、その背面を低突隆部２３に当接し、かつ、前面を弾性圧接部材３（樹脂製可撓片３Ａ，３Ｂの内装片部３２，３２）に弾発的に当接して、厚み方向に密嵌状として保持されている。また、アーム部１は、その両側面を弾性圧接部材３（樹脂製可撓片３Ａ，３Ｂの折曲片部３０，３０）に弾発的に当接して、幅方向に密嵌状として保持されている。図５から明らかなように、本発明の取付ソケットは、アーム部１を差し込んで保持した状態で、美観的に優れたデザインで、かつ、非常にコンパクトに設計されている。
【００１８】
また、弾性圧接部材３（第２可撓小片３Ｂ）は、アーム部１が外嵌ホルダ部材２に差し込まれる際、上述の抜止め突部１３が、アーム部１に摺接して弾性変形しつつアーム部１に設けられた係止用雌部１５に係止するように構成している。
抜止め突部１３は、中空状に形成されて弾性変形し易く、かつ、アーム部１のスムーズな差し込みを邪魔しないように端面に傾斜をつけて形成されている。
【００１９】
また、図５、図７に示すように、外嵌ホルダ部材２は、家具固定部５０に対する位置決めのための凸部２７，２７が、プレス加工によって形成されている。
凸部２７，２７は、背面壁２０の貫通孔２６，２６の近傍に、プレス加工によって背面側に突出するように設けられている。
【００２０】
図８は、本発明の揺動金具の取付ソケットの他の実施形態を示した図である。
図８では、弾性圧接部材３は、外嵌ホルダ部材２の上端近傍と下端近傍に取付けられる２個の樹脂製可撓片３Ａ，３Ａから成り、その両方が抜止めの構成を有さない（図３参照）第１可撓片３Ａ，３Ａである。外嵌ホルダ部材２の構成は、上述の実施形態と同様である。
図８のように、弾性圧接部材３が抜止めを有していない構成とすれば、図９に示す矢印Ｌ１，Ｌ２のように外嵌ホルダ部材２にアーム部１が抜き差し自在として保持されている。アーム部１が外嵌ホルダ部材２に差し込まれる際、アーム部１が弾性圧接部材３を圧縮し、弾性変形した弾性圧接部材３がアーム部１に弾発的に圧接して、アーム部１のガタツキを防止している。さらに、弾性圧接部材３の弾発的圧接抵抗力をもって、アーム部１が外嵌ホルダ部材２から不意に引き抜けないように保持している。
【００２１】
上述した本発明の揺動金具の取付ソケットの使用方法（作用）について説明する。
図１０と図１１に示すように、外嵌ホルダ部材２をソファーＳの家具固定部（静止部）５０である背部の一部に取着する。この際、予め家具固定部５０に下穴を開けておき、外嵌ホルダ部材２の背面側に突設した位置決め用凸部２７，２７を下穴に嵌入し、外嵌ホルダ部材２を家具固定部５０に係止する。次に、外嵌ホルダ部材２の貫通孔２６，２６に通したボルト等で家具固定部５０に固着する。また、角度調整機能付の揺動金具１０を、ソファーＳの揺動部４９であるヘッドレスト等に取付ける。この際、揺動金具１０の２本のアーム部（取付片部）の内、一方のアーム部を家具揺動部４９にボルト等で取着し、他方のアーム部１を（下方に）突出した状態とする。
【００２２】
次に、家具固定部５０に取付けた外嵌ホルダ部材２に、家具揺動部４９に取付けた揺動金具１０のアーム部１を（上方から）差し込んで取着する。この際、アーム部１を外嵌ホルダ部材２に圧入して、外嵌ホルダ部材２の内面に密接して装着された弾性圧接部材３を圧縮して弾性変形させる。弾性圧接部材３は、アーム部１と外嵌ホルダ部材２に挟圧され、その反発力をもってアーム部１の前面及び両側面に弾発的に圧接し、アーム部１を厚み方向及び幅方向から密嵌状に保持する。
また、アーム部１を外嵌ホルダ部材２に、ある一定深さまで差し込むと、弾性圧接部材３（第２可撓小片３Ｂ）に設けた抜止め突部１３が、アーム部１の係止用雌部１５に引っ掛かって、アーム部１が外嵌ホルダ部材２から抜けないように係止する。
【００２３】
なお、本発明は、設計変更可能であって、例えば、図１２（Ａ）に示すように、弾性圧接部材３は、アーム部１を外嵌ホルダ部材２に差し込んだ状態で、アーム部１の背面及び両側面に（弾発的に）圧接するように配設するも良い。この場合、弾性圧接部材３は、外嵌ホルダ部材２の背面壁２０に密接して装着され、アーム部１の背面に（弾発的に）圧接して、厚み方向にガタつかせることなく保持する。
また、図１２（Ａ）に示すように、弾性圧接部材３は、アーム部１の前面、背面及び両側面にわたって（弾発的に）圧接するように配設するも良い。この場合、弾性圧接部材３は、アーム部１の厚み方向（前後方向）の両方向から弾発的に圧接し、アーム部１のガタつきを確実に防止し得る。
【００２４】
以上のように、本発明に係る揺動金具の取付ソケットは、家具固定部５０に固着されると共に、家具揺動部４９に取付けられた角度調整機能付の揺動金具１０の帯板状アーム部１を差し込んで保持するための取付ソケットであって、アーム部１を差し込むための差込空間部２５を形成する外嵌ホルダ部材２と、外嵌ホルダ部材２の内面に設けられた弾性圧接部材３とを、備え、アーム部１を差し込んだ状態で、弾性圧接部材３がアーム部１を厚み方向及び幅方向から弾発的に圧接保持して、差込空間部２５内に差し込まれたアーム部１のガタつきを防止するように構成されたので、家具固定部５０に家具揺動部４９を取り付ける際、揺動金具１０のアーム部１を押し込んで取着でき、短い時間で容易に取付けることができる。差込空間部２５に差し込んだアーム部１が傾いたりガタつくのを確実に防止できる。
【００２５】
また、外嵌ホルダ部材２は、板金製であって、背面壁２０と、左右側面壁２１，２１と、側面壁２１，２１の前端を内向きに折曲状とした前面壁２２，２２とを、有しているので、外嵌ホルダ部材２を全体として薄型に形成でき、構造上もシンプルで、アーム部１を差し込んだ状態（図５参照）としても、美観的に優れてカッコ良く、かつ、コンパクトな構成にできる。
【００２６】
また、外嵌ホルダ部材２は、差込空間部２５に差し込まれた状態のアーム部１の背面に当接するための低突隆部２３を有しているので、外嵌ホルダ部材２の強度と剛性を向上できる。アーム部１を外嵌ホルダ部材２に差し込む際、適度な圧入抵抗をもってスムーズに差し込むことができ、差し込んだ後は、アーム部１のガタつきを確実に防止できる。
【００２７】
また、弾性圧接部材３は、外嵌ホルダ部材２の上端近傍と下端近傍に取付けられる２個の樹脂製可撓片３Ａ，３Ｂから成るので、弾性圧接部材３を外嵌ホルダ部材２に容易に取り付けることができる。材料費の無駄を省いて製造コストを低く抑えることができる。しかも、２個の樹脂製可撓片３Ａ，３Ｂの配設位置は、アーム部１が左右・前後に倒れんとする際に、最も有効に、アーム部１に弾発的に圧接して、倒れを防止できる位置であって、合理的である。
【００２８】
また、弾性圧接部材３は、アーム部１が外嵌ホルダ部材２に差し込まれる際、アーム部１に摺接して弾性変形しつつアーム部１に設けられた係止用雌部１５に係止する抜止め突部１３を有しているので、アーム部１が外嵌ホルダ部材２から不意に抜けないように保持できる。アーム部１を外嵌ホルダ部材２にスムーズに差し込むことができる。
【００２９】
また、外嵌ホルダ部材２は、板金製であって、家具固定部５０に対する位置決めのための凸部２７，２７が、プレス加工によって形成されているので、家具固定部５０に外嵌ホルダ部材２をガタつかないように強固に、かつ、正確な取付位置に取り付けることができる。
【符号の説明】
【００３０】
１  アーム部
２  外嵌ホルダ部材
３  弾性圧接部材
３Ａ  樹脂製可撓片
３Ｂ  樹脂製可撓片
１０  揺動金具
１３  抜止め突部
１５  係止用雌部
２０  背面壁
２１  側面壁
２２  前面壁
２３  低突隆部
２５  差込空間部
２７  凸部
４９  家具揺動部
５０  家具固定部
【図１】
2014004049.tif 000003
【図２】
2014004049.tif 000004
【図３】
2014004049.tif 000005
【図４】
2014004049.tif 000006
【図５】
2014004049.tif 000007
【図６】
2014004049.tif 000008
【図７】
2014004049.tif 000009
【図８】
2014004049.tif 000010
【図９】
2014004049.tif 000011
【図１０】
2014004049.tif 000012
【図１１】
2014004049.tif 000013
【図１２】
2014004049.tif 000014